(57)【要約】      （修正有）【課題】光検出部及びレンズをはじめとする光学系に起因する再生画像の欠陥を補償して、信頼性の高い光情報再生装置を提供する。【解決手段】光情報再生装置の光検出部３２５が取得した画像信号データに係る複数枚の画像を合成して、光学系に起因する再生画像の欠陥を補償する。光学系の欠陥の位置を予め記憶する１０３。読取られた画像信号データの復号が不良である場合には、記憶した欠陥の位置情報に基づいてレンズをはじめとする光学部品を移動し、光検出器に照射される光の位置を移動する１０４。光学部品の移動前及び移動後に取得した複数枚分の画像信号データを合成して、再生画像の欠陥を補償する１０５。【選択図】図１０
2015146221.tif 000002
【特許請求の範囲】
【請求項１】
光情報記録媒体に記録された情報を再生する光情報再生装置であって、
前記光情報記録媒体に記録された情報を再生するための光を照射する光源部と、
前記光源部が照射した光を前記光情報記録媒体に入射させる光学部と、
前記光情報記録媒体に入射した光から情報を再生するための再生光を検出し、該再生光から生成される信号に基づいて第一と第二の再生画像を取得する光検出部と、
前記光検出部で取得した前記第一と第二の再生画像に基づいて、該所定の信号の第三の再生画像を生成する画像生成部と、
前記光情報再生装置の動作を制御する制御部と、
を備える光情報再生装置。
【請求項２】
請求項１に記載の光情報再生装置であって、
前記第一の再生画像を取得する際に、前記光検出部に前記再生光が入射する再生光位置は、前記第二の再生画像を取得する際に、該光検出部に該再生光が入射する再生光位置とは異なる、
ことを特徴とする光情報再生装置。
【請求項３】
請求項２に記載の光情報再生装置であって、
前記制御部は、前記光検出部の欠陥を検出して該欠陥の位置を欠陥位置情報として記憶し、前記第二の再生画像を取得する際に、該欠陥位置情報に基づいて前記光検出部へ前記再生光が入射する位置を移動させるよう制御する、
ことを特徴とする光情報再生装置。
【請求項４】
請求項２に記載の光情報再生装置であって、
前記制御部は、前記第二の再生画像を取得する際に、前記光情報記録媒体の傾き、または、位置のうち少なくともいずれか一方を変化させることにより、前記光検出部に前記再生光が入射する再生光位置を異ならせるよう制御する、
ことを特徴とする光情報再生装置。
【請求項５】
請求項２に記載の光情報再生装置であって、
前記画像生成部は、前記第一の再生画像の欠陥部分に相当する画像を、前記第二の再生画像から抜き出し、該抜き出した画像で前記第一の画像の欠陥部分を補完することで、前記第三の再生画像を生成すること、
を特徴とする光情報再生装置。
【請求項６】
信号光と参照光の干渉を利用して光情報記録媒体に記録された情報を再生する光情報再生装置であって、
前記光情報記録媒体に光を出射する光源部と、
前記光源部が出射した光から前記参照光を生成し、該参照光を前記光情報記録媒体に照射する光学部と、
前記光情報記録媒体に照射された前記参照光から情報を再生するための再生光を検出し、該再生光から検出される信号から生成される第一と第二の再生画像を取得する光検出部と、
前記光検出部で取得した前記第一と第二の再生画像に基づいて、該所定の信号の第三の再生画像を生成する画像生成部と、
前記光情報再生装置の動作を制御する制御部と、
を備える光情報再生装置。
【請求項７】
請求項６に記載の光情報再生装置であって、
前記第一の再生画像を取得する際に、前記光検出部に前記再生光が入射する再生光位置は、前記第二の再生画像を取得する際に、該光検出部に該再生光が入射する再生光位置とは異なる、
ことを特徴とする光情報再生装置。
【請求項８】
請求項７に記載の光情報再生装置であって、
前記制御部は、前記光検出部の欠陥を検出して該欠陥の位置を欠陥位置情報として記憶し、前記第二の再生画像を取得する際に、該欠陥位置情報に基づいて前記光検出部へ前記再生光が入射する位置を移動させるよう制御する、
ことを特徴とする光情報再生装置。
【請求項９】
請求項７に記載の光情報再生装置であって、
前記制御部は、前記第二の再生画像を取得する際に、前記光情報記録媒体の傾き、位置、または、前記参照光が該光情報記録媒体に入射する角度のうち少なくともいずれか一つを変化させることにより、前記光検出部に前記再生光が入射する再生光位置を異ならせるよう制御する、
ことを特徴とする光情報再生装置。
【請求項１０】
請求項７に記載の光情報再生装置であって、
前記画像生成部は、前記第一の再生画像の欠陥部分に相当する画像を、前記第二の再生画像から抜き出し、該抜き出した画像で前記第一の画像の欠陥部分を補完することで、前記第三の再生画像を生成すること、
を特徴とする光情報再生装置。
【請求項１１】
光情報記録媒体に記録された情報を再生する光情報再生装置における光情報再生方法であって、
前記光情報記録媒体に記録された情報を再生するための光を照射するステップと、
前記照射した光を前記光情報記録媒体に入射させるステップと、
前記光情報記録媒体に入射した光から情報を再生するための再生光を検出し、該再生光から生成される信号に基づいて第一と第二の再生画像を取得するステップと、
取得した前記第一と第二の再生画像に基づいて、該所定の信号の第三の再生画像を生成するステップと、
を備える光情報再生方法。
【請求項１２】
請求項１１に記載の光情報再生方法であって、
前記光情報再生装置は、前記光情報記録媒体に入射した光から情報を再生するための再生光を検出する光検出部を有し、
再生画像を取得するステップにおいて、前記第一の再生画像を取得する際に、前記光検出部に前記再生光が入射する再生光位置は、前記第二の再生画像を取得する際に、該光検出部に該再生光が入射する再生光位置とは異なる、
ことを特徴とする光情報再生方法。
【請求項１３】
請求項１２に記載の光情報再生方法であって、
前記光検出部の欠陥を検出するステップと、
前記欠陥の位置を欠陥位置情報として記憶するステップと、
再生画像を取得するステップにおいて、前記第二の再生画像を取得する際に、前記欠陥位置情報に基づいて前記光検出部へ前記再生光が入射する位置を移動させるステップと、
を備えることを特徴とする光情報再生方法。
【請求項１４】
請求項１２に記載の光情報再生方法であって、
再生画像を取得するステップにおいて、前記第二の再生画像を取得する際に、前記光情報記録媒体の傾き、または、位置のうち少なくともいずれか一方を変化させる、
ことを特徴とする光情報再生方法。
【請求項１５】
請求項１２に記載の光情報再生方法であって、
前記第三の再生画像を生成するステップにおいて、前記第一の再生画像の欠陥部分に相当する画像を、前記第二の再生画像から抜き出し、該抜き出した画像で前記第一の画像の欠陥部分を補完することで、前記第三の再生画像を生成する、
ことを特徴とする光情報再生方法。
【発明の詳細な説明】
【技術分野】
【０００１】
本発明は、ホログラフィを用いて光情報記録媒体から情報を再生する光情報再生装置および光情報再生方法に関する。
【背景技術】
【０００２】
現在、青紫色半導体レーザを用いた、Ｂｌｕ−ｒａｙ  Ｄｉｓｃ（登録商標）規格により、民生用においても５０ＧＢ程度の記録容量を持つ光ディスクの商品化が可能となってきた。今後の光ディスクでは、１００ＧＢ〜１ＴＢというＨＤＤ（Ｈａｒｄ  Ｄｉｓｋ  Ｄｒｉｖｅ）と同程度までの大容量化が望まれる。
【０００３】
しかしながら、このような超高密度を光ディスクで実現するためには、短波長化と対物レンズ高ＮＡ化による高密度化技術とは異なる、新しい方式による高密度化技術が必要である。次世代のストレージ技術に関する研究が行われる中、ホログラフィを利用してデジタル情報を記録するホログラム記録技術が注目を集めている。
【０００４】
特許文献１には、「参照光をホログラム記録媒体に照射する参照光照射部と、媒体に書き込むべきページデータに対応した空間情報を用いて変調した情報光を生成する空間変調部と、参照光を照射する領域と同一の領域に情報光を照射する情報光照射部と、参照光を媒体に照射することによって生成された再生光を受光する光検出部と、既知ページデータを予め記憶した既知データ記憶部と、既知ページデータに対応した空間情報を用いて既知ページデータを媒体に書込んだ後、媒体に書込んだ既知ページデータを読み出して、光検出部等の欠陥位置を調査する欠陥調査部と、検出された欠陥位置の情報を用いて、再生光に含まれる欠陥位置のデータを復元再生する再生制御部とを備えたことを特徴とする。」と記載されている。
【先行技術文献】
【特許文献】
【０００５】
【特許文献１】特開２００６−２３６５３６号公報
【発明の概要】
【発明が解決しようとする課題】
【０００６】
ホログラム記録技術とは、空間光変調器により２次元的に変調されたページデータの情報を有する信号光を、記録媒体の内部で参照光と重ね合わせ、その時に生じる干渉縞パターンによって記録媒体内に屈折率変調を生じさせることで、情報を記録媒体に記録する技術である。
【０００７】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。
【０００９】
ところで、光検出部や光学部品の欠陥に起因する再生画像の欠陥が許容できない範囲であった場合、光情報記録媒体に記録されたデータが復号できなくなるといった課題があった。
【００１０】
しかし、特許文献１では、検出した欠陥位置情報をもとに誤り訂正を行うことで欠陥部の情報を復元するが、再生画像の欠陥が誤り訂正能力の範囲を超えた場合に記録されたデータが復号できなくなることを考慮していない。また、特許文献１では、検出した欠陥位置情報をもとにページデータを並び替えて記録することによって欠陥部を回避するが、記録後に生じた欠陥部は回避することができず、欠陥部の大きさによってはページデータの並び替えによって回避することができない。
【００１１】
そこで本発明の目的は、光検出部及び光学部品の欠陥に起因して再生画像に欠陥が生じた場合でも、記録された情報を再生可能な信頼性の高い光情報再生装置を提供することにある。
【課題を解決するための手段】
【００１２】
上記課題は、たとえば、特許請求の範囲に記載の発明により解決される。
【発明の効果】
【００１３】
本発明によれば、光検出部及び再生に関わる光学部品に生じた欠陥に起因して再生画像に欠陥が生じた場合でも、記録された情報を再生可能な信頼性の高い光情報再生装置を提供することができる。
【図面の簡単な説明】
【００１４】
【図１】一実施例における光情報記録再生装置を示すブロック図。
【図２】一実施例における光情報記録再生装置のピックアップの構成を示す第１の概略図。
【図３】一実施例における光情報記録再生装置のピックアップの構成を示す第２の概略図。
【図４Ａ】一実施例における光情報記録再生装置の第１の動作フロー図。
【図４Ｂ】一実施例における光情報記録再生装置の第２の動作フロー図。
【図４Ｃ】一実施例における光情報記録再生装置の第３の動作フロー図。
【図５Ａ】一実施例における信号生成回路及び信号処理回路の第１の動作フロー図。
【図５Ｂ】一実施例における信号生成回路及び信号処理回路の第２の動作フロー図。
【図６】一実施例における光情報記録再生装置の信号生成回路を示すブロック図。
【図７】一実施例における光情報記録再生装置の信号処理回路を示すブロック図。
【図８】一実施例における光検出器の欠陥検出を示す概念図。
【図９】一実施例における光検出器欠陥位置を示す概念図。
【図１０】一実施例における光情報記録再生装置の欠陥補償に係る図。
【図１１】一実施例における欠陥補償時の信号処理回路の動作フロー図。
【図１２】一実施例における欠陥補償回路を示すブロック図。
【図１３】一実施例における光検出器の欠陥位置に係る概念図。
【図１４Ａ】一実施例における再生光の位置移動を示すピックアップの第１の概略図。
【図１４Ｂ】一実施例における再生光の位置移動を示すピックアップの第２の概略図。
【図１５Ａ】一実施例における再生光の位置移動を示すピックアップの第３の概略図。
【図１５Ｂ】一実施例における再生光の位置移動を示すピックアップの第４の概略図。
【図１６Ａ】一実施例における再生光の位置移動の前に取得した画像データを示す概念図。
【図１６Ｂ】一実施例における再生光の位置移動の後に取得した画像データを示す概念図。
【図１７】一実施例における複数の再生画像による欠陥補完を示す概念図。
【図１８】一実施例における欠陥補償時の信号処理回路の動作フロー図。
【図１９】一実施例における光情報記録再生装置の欠陥補償に係る図。
【図２０】一実施例における欠陥補償時の信号処理回路の動作フロー図。
【図２１】一実施例における光情報記録再生装置の欠陥補償に係る図。
【図２２】一実施例における欠陥補償回路を示すブロック図。
【図２３】一実施例における光検出器の欠陥の検出を示す概念図。
【図２４】一実施例における欠陥補償時の信号処理回路の動作フロー図。
【発明を実施するための形態】
【００１５】
以下、本発明の実施例について図面を用いて説明する。
【実施例１】
【００１６】
本発明の実施形態を添付図面にしたがって説明する。
【００１７】
図１は、本実施例における光情報記録再生装置１０を示すブロック図であり、該光情報記録再生装置１０は、ホログラフィを利用してデジタル情報を記録および／または再生する。
【００１８】
光情報記録再生装置１０は、入出力制御回路９０を介して外部制御装置９１と接続されている。情報信号を記録する場合には、光情報記録再生装置１０は外部制御装置９１から記録する情報信号を入出力制御回路９０を介して受信する。再生する場合には、光情報記録再生装置１０は再生した情報信号を入出力制御回路９０を介して外部制御装置９１に送信する。
【００１９】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能である。
【００２０】
ピックアップ１１は、参照光と信号光を光情報記録媒体１に照射して、ホログラフィを利用してデジタル情報を記録媒体に記録する。この際、記録する情報信号はコントローラ８９によって信号生成回路８６を介してピックアップ１１内の空間光変調器に送られ、信号光は空間光変調器によって変調される。
【００２１】
光情報記録媒体１に記録した情報を再生する場合は、ピックアップ１１から出射された参照光を記録時とは逆の向きに光情報記録媒体に入射させる光波を再生用参照光光学系１２が生成する。再生用参照光によって再生される再生光をピックアップ１１内の後述する光検出器によって検出し、信号処理回路８５が信号を再生する。
【００２２】
光情報記録媒体１に照射する参照光と信号光の照射時間は、ピックアップ１１内のシャッタの開閉時間をコントローラ８９によってシャッタ制御回路８７を介して制御することで調整できる。
【００２３】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。
【００２４】
ディスク回転角度検出用光学系１４は、光情報記録媒体１の回転角度を検出するために用いられる。光情報記録媒体１を所定の回転角度に調整する場合は、ディスク回転角度検出用光学系１４が回転角度に応じた信号を検出し、検出された信号を用いてコントローラ８９がディスク回転モータ制御回路８８を介して光情報記録媒体１の回転角度を制御する事が出来る。
【００２５】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。
【００２６】
また、ピックアップ１１、そして、ディスクキュア光学系１３は、光情報記録媒体１の半径方向に位置をスライドできる機構が設けられており、アクセス制御回路８１を介して位置制御がおこなわれる。
【００２７】
ところで、ホログラフィの角度多重の原理を利用した記録技術においては、参照光角度のずれに対する許容誤差が極めて小さくなる傾向がある。
【００２８】
したがって、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０に備えることが必要となる。
【００２９】
また、ピックアップ１１、キュア光学系１３、ディスク回転角度検出用光学系１４は、いくつかの光学系構成または全ての光学系構成をひとつに纏めて簡素化しても構わない。
【００３０】
図２は、本実施例における光情報記録再生装置１０のピックアップ１１を示す第１の概略図であり、基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるように偏光方向が制御された後、ＰＢＳ（Ｐｏｌａｒｉｚａｔｉｏｎ  Ｂｅａｍ  Ｓｐｌｉｔｔｅｒ）プリズム３０５に入射する。
【００３１】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
【００３２】
空間光変調器３１２によって情報が付加された信号光は、ＰＢＳプリズム３１１で反射され、リレーレンズ３１３ならびに空間フィルタ３１４を伝播する。その後、信号光は対物レンズ３１５によって光情報記録媒体１に集光される。
【００３３】
一方、ＰＢＳプリズム３０５で反射された光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。
【００３４】
このように、信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。
【００３５】
以降、同じ領域に参照光角度を変えて記録されたホログラムにおいて、１つ１つの参照光角度に対応したホログラムをページと呼び、同領域に角度多重されたページの集合をブックと呼ぶことにする。
【００３６】
図３は、本実施例における光情報記録再生装置１０のピックアップ１１を示す第２の概略図であり、基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
【００３７】
この再生用参照光によって再生された再生光は、対物レンズ３１５、リレーレンズ３１３ならびに空間フィルタ３１４を透過する。その後、再生光はＰＢＳプリズム３１１を透過して光検出器３２５に入射され、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。
【００３８】
図４Ａ乃至図４Ｃは、本実施例における光情報記録再生装置１０の第１乃至第３の動作フロー図である。ここでは、特にホログラフィを利用した記録再生に関するフローを説明する。
【００３９】
図４Ａは、光情報記録再生装置１０に光情報記録媒体１を挿入した後、記録または再生の準備が完了するまでの動作フローを、図４Ｂは準備完了状態から光情報記録媒体１に情報を記録するまでの動作フローを、図４Ｃは準備完了状態から光情報記録媒体１に記録した情報を再生するまでの動作フローを示す。
【００４０】
図４Ａに示すように媒体を挿入すると（４０１）、光情報記録再生装置１０は、例えば挿入された媒体がホログラフィを利用してデジタル情報を記録または再生する媒体であるか否かに関するディスク判別を行う（４０２）。
【００４１】
ディスク判別の結果、ホログラフィを利用してデジタル情報を記録または再生する光情報記録媒体であると判断されると、光情報記録再生装置１０は光情報記録媒体１に設けられたコントロールデータを読み出し（４０３）、例えば光情報記録媒体１に関する情報や、例えば記録や再生時における各種設定条件に関する情報を取得する。
【００４２】
コントロールデータに応じた各種調整やピックアップ１１に関わる学習処理（４０４）を行うことにより、光情報記録再生装置１０は、記録または再生の準備が完了する（４０５）。
【００４３】
準備完了状態から情報を記録するまでの動作フローは図４Ｂに示すように、まずコントローラ８９は、記録するデータを外部制御装置９１から受信して（４１１）、該データに応じた情報をピックアップ１１内の空間光変調器３１２に送る。
【００４４】
その後、光情報記録媒体に高品質の情報を記録できるように、必要に応じて例えば光源３０１のパワー最適化やシャッタ３０３による露光時間の最適化等の、各種記録用学習処理を事前に行う（４１２）。
【００４５】
その後、コントローラ８９は、シーク動作（４１３）ではアクセス制御回路８１を制御して、ピックアップ１１ならびにキュア光学系１３の位置を光情報記録媒体１に対する所定の位置に位置づけする。
【００４６】
光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００４７】
その後、コントローラ８９はキュア光学系１３から出射する光ビームを用いて所定の領域をプリキュアし（４１４）、ピックアップ１１から出射する参照光と信号光を用いてデータを記録する（４１５）。
【００４８】
データを記録した後は、キュア光学系１３から出射する光ビームを用いてポストキュアを行う（４１６）。必要に応じてデータをベリファイしても構わない。
【００４９】
準備完了状態から記録された情報を再生するまでの動作フローは、図４Ｃに示すように、まずシーク動作（４２１）で、コントローラ８９はアクセス制御回路８１を制御して、ピックアップ１１ならびに再生用参照光光学系１２の位置を光情報記録媒体１に対する所定の位置に位置づけする。
【００５０】
光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００５１】
その後、ピックアップ１１から参照光を出射し、光情報記録媒体に記録された情報を読み出して再生し（４２２）、再生データを外部制御装置９１に送信する（４２３）。
【００５２】
図５Ａと図５Ｂは、本実施例における信号生成回路８６及び信号処理回路８５の動作フロー図である。図５Ａは、入出力制御回路９０において記録データ受信した（図４Ｂの４１１）後、空間光変調器３１２で２次元データに変換するまでの、信号生成回路８６での記録データ処理フローを示す。図５Ｂは、光検出器３２５で２次元データを検出後、入出力制御回路９０における再生データ送信処理（図４Ｃの４２３）までの信号処理回路８５での再生データ処理フローを示している。
【００５３】
図５Ａを用いて記録時のデータ処理について説明する。入出力制御回路９０がユーザデータを受信（５０１）すると、信号生成回路８６が複数のデータ列に分割、再生時エラー検出が行えるように各データ列をＣＲＣ化（５０２）し、オンピクセル数とオフピクセル数をほぼ等しくし、同一パターンの繰り返しを防ぐことを目的にデータ列に擬似乱数データ列を加えるスクランブル（５０３）を施す。
【００５４】
その後、再生時エラー訂正が行えるようにリード・ソロモン符号等の誤り訂正符号化（５０４）を行う。次にこのデータ列をＭ×Ｎの２次元データに変換し、それを１ページデータ分繰返すことで１ページ分の２次元データ（５０５）を構成する。
【００５５】
このように構成した２次元データに対して再生時の画像位置検出や画像歪補正での基準となるマーカーを付加（５０６）し、ピックアップ１１が有する空間光変調器３１２にデータを転送（５０７）する。
【００５６】
次に、図５Ｂを用いて再生時のデータ処理フローについて説明する。
【００５７】
ピックアップ１１が有する光検出器３２５で検出された画像データが、信号処理回路８５に転送（５１１）される。信号処理回路８５は、この画像データに含まれるマーカーを基準に画像位置を検出（５１２）し、画像の傾き、倍率、ディストーションなどの歪みを補正（５１３）した後、２値化処理（５１４）を行い、マーカーを除去（５１５）することで１ページ分の２次元データを取得（５１６）する。このようにして得られた２次元データを複数のデータ列に変換した後、誤り訂正処理（５１７）を行い、パリティデータ列を取り除く。
【００５８】
次に、スクランブル解除処理（５１８）を施し、ＣＲＣによる誤り検出処理（５１９）を行ってＣＲＣパリティを削除した後に、ユーザデータを入出力制御回路９０から外部制御装置９１に送信（５２０）する。
【００５９】
図６は、本実施例における光情報記録再生装置１０の信号生成回路８６を示すブロック図である。
【００６０】
出力制御回路９０にユーザデータの入力が開始されると、入出力制御回路９０は、コントローラ８９にユーザデータの入力が開始されたことを通知する。コントローラ８９は、本通知を受け、信号生成回路８６に入出力制御回路９０から入力される１ページ分のデータを記録処理するよう命ずる。コントローラ８９からの処理命令は、制御用ライン６０８を経由し、信号生成回路８６内サブコントローラ６０１に通知される。本通知を受け、サブコントローラ６０１は、各信号処理回路を並列に動作させるよう制御用ライン６０８を介して各信号処理回路の制御を行う。
【００６１】
まず、サブコントローラ６０１は、メモリ制御回路６０３に、データライン６０９を介して入出力制御回路９０から入力されるユーザデータをメモリ６０２に格納するよう制御する。メモリ６０２に格納されたユーザデータが、ある一定量に達すると、ＣＲＣ演算回路６０４でユーザデータをＣＲＣ化する制御を行う。
【００６２】
次に、ＣＲＣ化されたデータに、スクランブル回路６０５で擬似乱数データ列を加えるスクランブル化を施し、誤り訂正符号化回路６０６でパリティデータ列を加える誤り訂正符号化する制御を行う。
【００６３】
最後に、ピックアップインターフェース回路６０７にメモリ６０２から誤り訂正符号化したデータを空間光変調器３１２における２次元データの並び順で読み出させ、再生時に基準となるマーカーを付加した後、ピックアップ１１内の空間光変調器３１２に２次元データを転送する。
【００６４】
図７は、本実施例における光情報記録再生装置１０の信号処理回路８５を示すブロック図である。
【００６５】
コントローラ８９は、ピックアップ１１が有する光検出器３２５が画像データを検出すると、信号処理回路８５にピックアップ１１から入力される１ページ分のデータを再生処理するよう命ずる。コントローラ８９からの処理命令は、制御用ライン７１１を経由し、信号処理回路８５のサブコントローラ７０１に通知される。本通知を受け、サブコントローラ７０１は各信号処理回路を並列に動作させるよう制御用ライン７１１を介して各信号処理回路の制御を行う。
【００６６】
まず、サブコントローラ７０１は、メモリ制御回路７０３に、データライン７１２を介して、ピックアップ１１からピックアップインターフェース回路７１０を経由して入力される画像データを、メモリ７０２に格納するよう制御する。メモリ７０２に格納されたデータがある一定量に達すると、画像位置検出回路７０９がメモリ７０２に格納された画像データからマーカーを検出して有効データ範囲を抽出する制御を行う。
【００６７】
次に、検出されたマーカーを用いて画像歪み補正回路７０８で、画像の傾き、倍率、ディストーションなどの歪み補正を行い、画像データを期待される２次元データのサイズに変換する制御をする。サイズ変換された２次元データを構成する複数ビットの各ビットデータを、２値化回路７０７において“０”と“１”に２値化し、メモリ７０２に再生データの出力の並びでデータを格納する制御を行う。
【００６８】
次に、誤り訂正回路７０６は各データ列に含まれる誤りを訂正し、スクランブル解除回路７０５は擬似乱数データ列を加えたスクランブルを解除した後、ＣＲＣ演算回路７０４はメモリ７０２のユーザデータに誤りが含まれないことを確認する。その後、入出力制御回路９０にメモリ７０２からユーザデータを転送する。
【００６９】
ここで、以上で説明した本実施例の光情報記録再生装置において、本実施例の特徴である再生画像の欠陥補償について説明する。この欠陥補償は、再生画像が復号できないと判断する場合、記憶しておいた欠陥を避けるように光検出器における再生光位置を移動させた後、再度再生画像を取得し、移動前後の複数枚の画像から欠陥を補完するものである。この欠陥補償方法について図８〜図１６を用いて詳細に説明する。
【００７０】
図８は、本実施例における光検出器３２５の欠陥検出を示す概念図である。
【００７１】
まず、記録時のデータ処理で、オンピクセル数とオフピクセル数をほぼ等しくし、同一パターンの繰り返しを防ぐことを目的にデータ列に擬似乱数データ列を加えたスクランブル（図５Ａ、８０３）が施された記録データを、複数ページ再生して光検出器３２５の各ピクセル値の平均をとる。こうすることで、ピクセル平均値は、オンピクセルとオフピクセルの中間値になると期待される。
【００７２】
しかしながら、図８に示すように光検出器３２５に明欠陥８０１があった場合には、該当するピクセル値８１１の平均はオンピクセルの値とほぼ等しくなり、暗欠陥８０２に対しては、該当するピクセル値９１２の平均はオフピクセルの値とほぼ等しくなる。
【００７３】
したがって、複数ページを連続再生し、光検出器３２５の各ピクセルの平均値をとることで、光検出器３２５の明欠陥８０１と暗欠陥８０２をそれぞれ探し出すことが可能となる。
【００７４】
図９は、本実施例における光検出器３２５の欠陥検出を示す概念図、図１０は、本実施例における光情報記録再生装置１０の欠陥補償に係る図である。
【００７５】
光検出器の欠陥検出処理は、例えば図４Ａに示す学習処理４０４のタイミングに行う。検出した欠陥位置は、例えば図９のように示され、図１０の欠陥位置記憶回路１０３に記憶される。
【００７６】
ここでは光検出器の欠陥位置検出について説明したが、光検出器の欠陥だけでなく光路中のゴミやほこり等固定的な要因で生じる光検出器上の欠陥位置も検出することができる。
【００７７】
次に、検出した欠陥位置情報を用いて画像の欠陥補償を実施する。画像の欠陥補償について図１１と図１２を用いて説明する。
【００７８】
図１１は、本実施例における欠陥補償時の信号処理回路８５の動作フロー図である。
【００７９】
まず、所定のページを再生するための再生光３２６を光検出器３２５が検出し（５１１）、検出された信号に基づいて画像位置検出を行い（５１２）、検出された信号は画像歪み補正回路７０８に入力されて画像歪みを補正され（５１３）、画像歪みを補正された再生画像は画像欠陥補償回路１０５に入力される。
【００８０】
図１２は、一実施例における欠陥補償回路１０５を示すブロック図である。画像欠陥補償回路１０５は、画像歪み補正回路７０８の出力である画像歪みを補正された再生画像を、画像記憶回路１２０１に記憶し（１１０１）、また画像合成回路１２０３に入力する。初期状態ではスイッチ１２０２が開いているため、画像合成回路１２０３に入力した再生画像がそのまま誤り訂正回路７０６に入力されて、誤り訂正処理を施される（５１４）。
【００８１】
その後、欠陥補償制御回路１０１は欠陥補償の必要性の有無を判定する（１１０２）。欠陥補償の必要有無の判定基準として誤り訂正後のユーザデータに含まれる誤りの情報を用いる。
【００８２】
誤り訂正後のユーザデータに、誤りが含まれていない場合には、欠陥補償制御回路１０１は欠陥補償の必要は無いと判定し（１１０２のＮｏ）、光情報記録再生装置１０は誤り訂正処理後の再生画像を、入出力制御回路９０を介して外部制御装置９１に出力する（５２０）。
【００８３】
一方、誤りが含まれている場合には、欠陥補償制御回路１０１は欠陥補償の必要が有ると判定し（１１０２のＹｅｓ）、スイッチ１２０２を閉じ、コントローラ８９と再生光位置制御量算出回路１０２にリトライ処理を必要とする旨を通知する。
【００８４】
このとき、再生光３２６の光路中や光検出器３２５上に生じたほこり、傷や製造時に生じた欠陥等の固定的な要因に起因する再生画像の欠陥を補償するためには、再生光３２６の光路及び光検出器３２５上の再生光位置を移動させる必要がある。再生光位置制御量は、欠陥位置記憶回路１０３から再生光位置制御量算出回路１０２に欠陥位置情報を入力することで算出される。
【００８５】
図１３を用いて再生光位置制御量を算出する方法の一例を説明する。図１３は、一実施例における光検出器３２５の欠陥位置に係る概念図であり、欠陥位置情報と再生画像の位置関係を示すものである。
【００８６】
光検出器３２５の欠陥によって発生する再生画像情報における欠陥（図１３中ａ、ｂ）のうち、Ｘ方向のサイズが最大である欠陥のＸ方向のサイズ（図１３におけるａのＸ方向サイズ）と、Ｙ方向のサイズが最大である欠陥のＹ方向のサイズ（図１３におけるｂのＹ方向サイズ）を比較する。二つのサイズの比較でサイズが小さい方向、すなわち、図１３におけるａのＸ方向の欠陥サイズを、再生光検出位置制御量とする。
【００８７】
これにより、欠陥補完をするために必要な、最も小さい再生光位置制御量を算出する（１１０３）。ここでは最小となる必要再生光位置制御量を求めたが、欠陥部が重なることなく複数枚画像を取得できるのであれば、再生光位置制御量は小さくても、又は、大きくてもよい。また、ここでは再生光位置制御量算出をリトライ処理時に行う例を示したが、欠陥位置を検出し欠陥位置記憶回路１０３に記憶する際に再生光位置制御量を算出してもよい。
【００８８】
算出した再生光位置制御量１０６を供給された再生光位置制御回路１０４は、再生光位置を制御する（１１０４）。
【００８９】
再生光位置を制御する方法の一例を、図１４Ａと図１４Ｂを用いて説明する。図１４Ａと図１４Ｂは、本実施例における再生光の位置移動を示すピックアップ１１の第１と第２の概略図である。図１４Ａで示すように、初期状態では記録媒体１からの再生光３２６の光軸は対物レンズ３１５及びリレーレンズ３１３の中心を通るように設計されている。図１４Ｂで示すように、記録媒体１及び参照光３０７の角度を変えることにより、対物レンズ３１５に対する再生光３２６の光軸の入射角度１４０１を変化させ、再生光位置を制御する。
【００９０】
なお、再生光３２６の光軸の入射角度と記録媒体１の角度とを併せて変化させることで、参照光と記録媒体の相対的な角度は変化しないようにしている。このように再生光位置を制御することで、参照光の角度多重方向の再生条件を満たしたまま、光検出部や光学部品の欠陥に起因する再生画像の欠陥を精度よく補完することができる。
【００９１】
ここでは記録媒体１と参照光３０７の角度を同時に変えたが、記録媒体もしくは参照光の角度だけを変えてもよい。これによって制御対象が減り、処理の簡素化が可能である。
【００９２】
また、記録媒体の角度ではなく、記録媒体の位置をシフトさせることによって再生光位置を制御してもよい。これによって記録媒体のシフトのみで再生光位置を制御することができる為、処理の簡素化が可能である。
【００９３】
なお、記録媒体ではなくリレーレンズ３１３を移動することで再生光位置を制御してもよい。
【００９４】
図１５Ａと図１５Ｂを用いてリレーレンズの移動による再生光位置の制御方法を説明する。図１５Ａと図１５Ｂは、本実施例における再生光の位置移動を示すピックアップ１１の第３と第４の概略図である。図１５Ａで示すように、初期状態では再生光３２６の光軸はリレーレンズ３１３の中心を通るように設計されている。図１５Ｂで示すように、リレーレンズ３１３の位置を移動すると再生光３２６の光軸はリレーレンズ３１３の中心を通らなくなるため、再生光３２６は屈折する。例えばリレーレンズ２３０１を図面上で左方向に移動した場合には、再生光３２６の中心はリレーレンズ２３０１の右寄りを通るため、左に屈折する。
【００９５】
ここで、光検出器３２５に入射する再生光３２６は平行光であることが望ましいため、リレーレンズ２３０２は再生光３２６を平行光に戻すことができる位置に移動される。空間フィルタ３１４を中心として、リレーレンズ２３０１とは反対側にリレーレンズ２３０２を移動することによって再生光３２５を平行光とすることができる。
【００９６】
また、以上の構成においてリレーレンズ３１３を用いて説明しているが、リレーレンズ３１３の代わりに再生光位置を制御するための光学素子を配置してもよい。これによって光学素子の移動により精度よく再生光位置を制御することが可能となる。また、光学系の構成要素のいずれか又は全てを移動することによって再生光位置を制御してもよい。これによって、精度よく再生光位置を制御することが可能となる。
【００９７】
なお、光源から射出される光の波長を変えることで再生光位置を制御してもよい。これによって記録媒体及び光学部を動かさずに再生光位置を制御できるため、処理の簡素化が可能である。
【００９８】
以上のように算出した再生光位置制御量１０６に基づき再生光位置を移動した後、コントローラ８９はリトライ処理の通知を受け、同一ページに対して再生処理を行う。
【００９９】
位置を移動された再生光３２６が再び光検出器３２５で検出され（１１０５）、画像位置検出を行う（１１０６）。検出した再生画像を画像歪み補正回路７０８に入力して画像歪みを補正し（１１０７）、画像歪みを補正された再生画像を画像欠陥補償回路１０５に入力する。
【０１００】
画像欠陥補償回路１０５の画像記憶回路１２０１には、再生光位置を移動する前に取得した再生画像が記憶されており、また、リトライ時には図１２のスイッチ１２０２は閉じている為、画像合成回路１２０３では、再生光位置制御前の再生画像（図１６Ａ）と再生光位置制御後の再生画像（図１６Ｂ）を取得する。
【０１０１】
図１６Ａは、本実施例における再生光の位置移動の前に取得した画像データを示す概念図、図１６Ｂは、本実施例における再生光の位置移動の後に取得した画像データを示す概念図である。
【０１０２】
この複数枚の再生画像を用いて、再生画像の欠陥部を補完する（１１０８）。
【０１０３】
画像欠陥部の補完方法の一例を、図１７を用いて説明する。図１７は、一実施例における複数の再生画像による欠陥補完を示す概念図である。
【０１０４】
再生光の位置移動前の画像の欠陥部（図１７のａ）に相当する部分の画像を、再生光の位置移動後の画像から抜き出し（図１７のｂ）、置き換えることで再生画像を補完する。ここでは、再生光の位置移動前の画像の欠陥部を置き換えることで画像を補完しているが、逆に再生光の位置移動後の画像の欠陥部を移動前の画像から抜き出し、置き換えて画像を補完してもよい。
【０１０５】
以上の方法を用いて合成した画像を、図１０で示す誤り訂正回路７０６に入力し、誤り訂正処理を行い（１１０９）、スイッチ１２０２を開き、誤り訂正処理後の再生画像を入出力制御回路９０を通して外部制御装置９１に出力する（５２０）。このとき、再度欠陥補償の必要性を判定し、欠陥補償の必要があればリトライ処理をくり返してもよい。
【０１０６】
以上の第一の実施例によれば、光検出部や光学部品の欠陥に起因する再生画像の欠陥を補完することができ、信頼性の高い再生が可能となる。
【０１０７】
なお、以上の構成において再生画像の欠陥部だけ置き換えを行っているが、欠陥の生じていない再生画像部分に関して複数画像で対応する画素の平均をとってもよい。これによってノイズ成分を平均化することができる為、信号品質を向上できる。
【０１０８】
また、ここでは再生光の位置を移動して再生画像を複数取得したが、再生光の位置を移動せずに取得した複数枚の再生画像を合成することで信号品質を向上させてもよい。
【０１０９】
また、光情報記録再生装置１０は、歪み補正の精度を向上させる為に空間光変調器よりも多い画素数の光検出器を用いて再生画像を検出するオーバーサンプリングを行ってもよい。この場合、画像歪み補正回路７０８ではこのオーバーサンプリングした画像を本来の再生画像サイズに変換するリサンプリング処理を行う。このとき、本実施例では画像歪み補正回路７０８の後に画像欠陥補償１０５を設けたが、画像歪み補正の前に画像欠陥補償を行ってもよい。画像歪み補正前の再生画像に対して画像欠陥補償を行うことで、より細かい欠陥補償が可能となる。これらは以降の実施例についても同様である。
【実施例２】
【０１１０】
本実施例が実施例１と異なるのは、欠陥補償判定を行わず、すべてのページの再生画像に対して欠陥補償を実施する点である。前述したように、誤り訂正回路８０６及び欠陥補償制御回路１０１によって再生画像の欠陥補償必要性を判定して欠陥補償を行うことで、補償の必要のない場合には欠陥補償処理に伴うリトライ処理の回数を減らし、処理の簡素化が可能となる。しかし、欠陥補償必要性を判定する為には再生画像の誤り訂正を行う必要があり、処理が重くなるという問題点がある。これを鑑みて、本実施例はいかなるページの再生画像に対しても欠陥補償を行うものである。
【０１１１】
本実施例の欠陥補償手順について、図１０、図１２、図１８を用いて説明する。図１８は、本実施例における欠陥補償時の信号処理回路の動作フロー図である。
【０１１２】
ここで、欠陥位置記憶回路１０３には、前述した光検出器の欠陥検出処理によって光検出器３２５の欠陥位置及び光路中のごみやほこり等固定的な要因による光検出器上の欠陥位置が記憶されている。
【０１１３】
まず、再生光３２６を光検出器３２５で検出し（５１１）、画像位置検出を行い（５１２）、検出した再生画像を画像歪み補正回路７０８に入力して画像歪みを補正し（５１３）、画像歪みを補正した再生画像を画像欠陥補償回路１０５に入力する。画像欠陥補償回路１０５の構成は図１２に記載している。
【０１１４】
画像欠陥補償回路１０５では、画像歪み補正回路７０８の出力である画像歪みを補正した再生画像を画像記憶回路１２０１に記憶し（１１０１）、画像合成回路１２０３に入力する。
【０１１５】
初期状態ではスイッチ１２０２が開いているため、欠陥補償制御回路１０１は、すべてのページの再生画像に対して欠陥補償が行われるよう常にスイッチ１２０２を閉じ、図１０のコントローラ８９と再生光位置制御量算出回路１０２にリトライ処理を必要とする旨を通知する。リトライ処理を必要とする旨を受けコントローラ８９は、リトライ処理を制御する。
【０１１６】
リトライ処理の構成、動作は、図１８のフローチャートの１１０３〜５２０に示す処理であり、実施例１のフローチャート図１１の１１０３〜５２０と重複しているため、説明を省略する。
【０１１７】
以上の第２の実施例によれば、すべてのページの再生画像に対して欠陥補償を行うことで信号品質を向上することができる。
【実施例３】
【０１１８】
本実施例が実施例２と異なるのは、再生光位置を移動せずに複数枚の画像を取得する点である。前述したように、再生光位置を移動して複数画像を取得すると、記録媒体や光学系を制御する必要があり処理が複雑になるという問題点がある。これを鑑みて、本実施例は再生光位置を移動せずに複数画像を取得して合成することで信号品質を向上するものである。
【０１１９】
本実施例における欠陥補償手順について図１２、図１９、図２０を用いて説明する。図１９は、本実施例における光情報記録再生装置の欠陥補償に係る図、図２０は、本実施例における欠陥補償時の信号処理回路の動作フロー図、である。
【０１２０】
まず、再生光３２６を光検出器３２５で検出し（５１１）、画像位置検出を行い（５１２）、検出した再生画像を画像歪み補正回路７０８に入力して画像歪みを補正し（５１３）、画像歪みを補正した再生画像を画像欠陥補償回路１０５に入力する。画像欠陥補償回路１０５の構成は図１２に記載されている。
【０１２１】
画像欠陥補償回路１０５では、画像歪み補正回路７０８の出力である画像歪みを補正した再生画像を、図１２の画像記憶回路１２０１及び画像合成回路１２０３に入力する。初期状態ではスイッチ１２０２が開いている為、欠陥補償制御回路は、スイッチ１２０２を閉じ、コントローラ８９にリトライ処理が必要となる旨を通知する。コントローラ８９は、リトライ処理が必要となる旨を受け、同一ページに対して再生処理を行う。
【０１２２】
再生光３２６を再び光検出器３２５で検出し（１１０５）、画像位置検出を行う（１１０６）。検出した再生画像を画像歪み補正回路７０８に入力して画像歪みを補正し（１１０７）、画像歪みを補正した再生画像を画像欠陥補償回路１０５に入力する。
【０１２３】
画像欠陥補償回路１０５の画像記憶回路１２０１には、リトライ前の再生画像が記憶されており、画像合成回路１２０３ではリトライ前の画像とリトライ後の再生画像を取得できる。画像合成回路１２０３において複数枚の再生画像の平均をとることでノイズ成分を平均化することができ、信号品質の向上が可能である。
【０１２４】
以上の第３の実施例によれば、再生光位置を移動することなく複数枚の再生画像を取得し合成することで、簡素化した処理で信号品質の向上が可能となる。
【実施例４】
【０１２５】
本実施例が実施例１と異なるのは、再生画像の誤り訂正結果に基づいて欠陥検出を行う点である。前述したように図４Ａの学習処理４０４で欠陥位置を検出して欠陥位置記憶回路に欠陥位置情報を記憶しておく方法を用いると、学習処理４０４以降の処理で生じた欠陥を検知することができないという問題点がある。これを鑑みて、本実施例は再生画像復号時の誤り訂正処理において誤りが生じた位置を記憶し、連続して誤りが生じている部分を欠陥として検出するものである。
【０１２６】
本実施例における欠陥検出手順について図２１乃至図２４を用いて説明する。図２１は、本実施例における光情報記録再生装置の欠陥補償に係る図、図２２は、本実施例における欠陥補償回路を示すブロック図、図２３は、本実施例における光検出器の欠陥の検出を示す概念図、そして、図２４は、本実施例における欠陥補償時の信号処理回路の動作フロー図である。
【０１２７】
再生光３２６を光検出器３２５で検出し、画像歪み補正した再生画像を画像欠陥補償回路１０５に入力する。画像欠陥補償回路１０５の構成は図２２に記載されている。
【０１２８】
画像欠陥補償回路１０５では、画像歪み補正回路７０８の出力である画像歪みを補正した再生画像を、画像記憶回路１２０１及び画像合成回路１２０３に入力する。初期状態ではスイッチ１２０２が開いているため、画像合成回路１２０３に入力した再生画像をそのまま誤り訂正回路７０６に入力し、誤り訂正処理を行う。
【０１２９】
誤り訂正回路７０６において誤り訂正処理を行う際に、誤りの発生した位置を検出して誤り位置記憶回路２１０１に記憶する（２４０１）。複数ページデータを再生して誤り位置を連続して記録し、記憶した複数ページデータの誤り位置情報を欠陥位置検出回路２００２に入力することで欠陥位置を算出する（２４０２）。
【０１３０】
誤り位置情報を用いた欠陥位置検出方法を、図２３を用いて説明する。
【０１３１】
図２３では、光検出器３２５と再生光検出位置、誤り位置の位置関係を表したものをＮページ目からＮ＋３ページ目までの４ページ分並べて示す。
【０１３２】
ページデータ記録時の誤差やランダムノイズによって生じた固定的でない誤りの場合は、異なるページを再生することで誤り位置が変化する（図２３の○）。一方、再生光３２６の光路中や光検出器３２５上に生じたほこりや傷、製造時に生じた欠陥等固定的な要因に起因する誤り位置は異なるページを再生しても変化しない（図２３の×）。
【０１３３】
例えば、同一ブック内全ページ同じ位置に誤りが生じた場合、ブック移動を行っても同じ位置に誤りが生じた場合、同一キュアサイト内で全て同じ位置に誤りが生じた場合に、欠陥があると判断することができる。ここで、キュアサイトとは、前記プリキュア又は前記ポストキュアを行う最小の記録単位のことである。
【０１３４】
以上の第４の実施例によれば、再生画像の誤り位置を検出して検証することでリアルタイムの欠陥検出が可能となり、欠陥補償の際に精度の高い補償が可能となる。なお、欠陥検出の方法が異なっていても、欠陥補償は、例えば第１の実施例で示したような再生光の位置を移動させる方法が用いられる。
【０１３５】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１３６】
変形例は以下のとおりである。
【０１３７】
変形例１として、光情報記録媒体に記録された情報を再生する光情報再生装置であって、前記光情報記録媒体に記録された情報を再生するための光を照射する光源部と、前記光源部が照射した光を前記光情報記録媒体に入射させる光学部と、前記光情報記録媒体に入射した光から情報を再生するための再生光を検出し、該再生光から生成される信号に基づいて第一と第二の再生画像を取得する光検出部と、前記光検出部で取得した前記第一と第二の再生画像に基づいて、該所定の信号の第三の再生画像を生成する画像生成部と、前記光情報再生装置の動作を制御する制御部と、を備える光情報再生装置がある。
【０１３８】
変形例２として、信号光と参照光の干渉を利用して光情報記録媒体に記録された情報を再生する光情報再生装置であって、前記光情報記録媒体に光を出射する光源部と、前記光源部が出射した光から前記参照光を生成し、該参照光を前記光情報記録媒体に照射する光学部と、前記光情報記録媒体に照射された前記参照光から情報を再生するための再生光を検出し、該再生光から検出される信号から生成される第一と第二の再生画像を取得する光検出部と、前記光検出部で取得した前記第一と第二の再生画像に基づいて、該所定の信号の第三の再生画像を生成する画像生成部と、前記光情報再生装置の動作を制御する制御部と、を備える光情報再生装置がある。
【０１３９】
変形例３として、光情報記録媒体に記録された情報を再生する光情報再生装置における光情報再生方法であって、前記光情報記録媒体に記録された情報を再生するための光を照射するステップと、前記照射した光を前記光情報記録媒体に入射させるステップと、前記光情報記録媒体に入射した光から情報を再生するための再生光を検出し、該再生光から生成される信号に基づいて第一と第二の再生画像を取得するステップと、取得した前記第一と第二の再生画像に基づいて、該所定の信号の第三の再生画像を生成するステップと、を備える光情報再生方法がある。
【０１４０】
変形例４として、光学的記録媒体に記録された画像信号データを再生する光情報再生装置であって、前記光学的記録媒体に記録された画像信号データを読取るための光を発生して前記光学的記録媒体に照射する光源部と、該光源部が発生した光を前記光学的記録媒体に伝搬し該光学的記録媒体を介した光を伝搬する光学部と、該光学部が前記光学的記録媒体から伝搬した光を検出して前記画像信号データを取得する光検出部と、該光検出部で取得した同一の画像信号データから生成された複数の画像に基づいて前記光学部と前記光検出部に起因する再生画像の欠陥を補償する画像欠陥補償部とを有することを特徴とする光情報再生装置がある。
【０１４１】
変形例５として、変形例４に記載の光情報再生装置において、前記画像欠陥補償部は、前記複数の画像を合成して再生画像の欠陥を補償することを特徴とする光情報再生装置がある。
【０１４２】
変形例６として、変形例５に記載の光情報再生装置において、前記画像欠陥補償部は、前記複数の画像を合成する時に、前記欠陥の生じていない部分に関しては複数の画像の間で対応する画素の平均値を求めることを特徴とする光情報再生装置、または、再生された前記画像信号データから前記再生画像を復号できるか否かを判定する欠陥補償制御部を有し、該欠陥補償制御部が前記再生画像を復号できないと判定した場合に前記画像欠陥補償部は前記再生画像の欠陥を補償することを特徴とする光情報再生装置がある。
【０１４３】
変形例７として、変形例５に記載の光情報装置において、前記光検出部が有する欠陥の位置に係る情報を記憶する欠陥位置記憶部と、前記光学部により前記光学的記録媒体から伝搬された光が前記光検出部に照射される位置を移動させる再生光位置制御部と、前記欠陥位置記憶部に記憶された前記情報に基づき前記再生光位置制御部が前記光学部を移動させるための情報を算出する制御量算出部とを有し、前記画像欠陥補償部は、前記再生光位置制御部が前記光学部を移動する前に前記光検出部が取得した第１の再生画像の欠陥を、前記再生光位置制御部が前記光学部を移動した後に前記光検出部が取得した第２の再生画像に基づいて補償することを特徴とする光情報再生装置がある。
【０１４４】
変形例８として、変形例７に記載の光情報再生装置において、前記光学的記録媒体は、参照光と信号光を干渉させて得た干渉縞をホログラムとして記録する記録媒体であることを特徴とする光情報再生装置、または、再生された前記画像信号データから前記再生画像を復号できるか否かを判定する欠陥補償制御部を有し、該欠陥補償制御部が前記再生画像を復号できないと判定した場合に前記画像欠陥補償部は前記再生画像の欠陥を補償することを特徴とする光情報再生装置、または、前記欠陥位置記憶部は、前記光検出部が有する欠陥の位置に係る情報を前記光検出部が前記画像信号データを取得する前に学習して記憶することを特徴とする光情報再生装置、または、前記欠陥位置記憶部は、前記光検出部が有する欠陥の位置に係る情報を前記光検出部が取得した前記画像信号データに対する誤り訂正の結果に基づいて記憶することを特徴とする光情報再生装置、または、前記再生光位置制御部は、前記光学的記録媒体の位置または傾きを制御して、前記光学部により前記光学的記録媒体から伝搬された光が前記光検出部に照射される位置を移動させることを特徴とする光情報再生装置、または、前記再生光位置制御部は、前記光学部の位置または傾きを制御して、前記光学部により前記光学的記録媒体から伝搬した光が前記光検出部に照射される位置を移動させることを特徴とする光情報再生装置、または、前記再生光位置制御部は、前記光源部が発生する光の波長を制御して、前記光学部により前記光学的記録媒体から伝搬した光が前記光検出部に照射される位置を移動させることを特徴とする光情報再生装置がある。
【０１４５】
変形例９として、光学的記録媒体に記録された画像信号データを再生する光情報再生装置における光情報再生方法であって、前記光情報再生装置は、前記光学的記録媒体に記録された画像信号データを読取るための光を発生して前記光学的記録媒体に照射する光源部と、該光源部が発生した光を前記光学的記録媒体に伝搬し該光学的記録媒体を介した光を伝搬する光学部と、該光学部が前記光学的記録媒体から伝搬した光を検出して前記画像信号データを取得する光検出部とを有し、該光検出部が前記画像信号データを取得する取得ステップと、該取得ステップで取得した同一の画像信号データから生成された複数の画像を記憶する画像記憶ステップと、該画像記憶ステップが記憶した画像に基づいて前記光学部と前記光検出部に起因する再生画像の欠陥を補償する画像欠陥補償ステップとを有することを特徴とする光情報再生方法がある。
【０１４６】
変形例１０として、変形例９に記載の光情報再生方法において、再生された前記画像信号データから前記再生画像を復号できるか否かを判定する欠陥補償制御ステップを有し、該欠陥補償制御ステップが前記再生画像を復号できないと判定した場合に前記画像欠陥補償ステップは前記再生画像の欠陥を補償することを特徴とする光情報再生方法がある。
【０１４７】
変形例１１として、変形例９に記載の光情報再生方法において、前記光検出部が有する欠陥の位置に係る情報を記憶する欠陥位置記憶ステップと、前記光学部により前記光学的記録媒体から伝搬された光が前記光検出部に照射される位置を移動させる再生光位置制御ステップと、前記欠陥位置記憶ステップで記憶された前記情報に基づき前記再生光位置制御ステップが前記光学部を移動させるための情報を算出する制御量算出ステップとを有し、前記画像欠陥補償ステップは、前記再生光位置制御ステップが前記光学部を移動する前に前記光検出部が取得した第１の再生画像の欠陥を、前記再生光位置制御ステップが前記光学部を移動した後に前記光検出部が取得した第２の再生画像に基づいて補償することを特徴とする光情報再生方法がある。
【０１４８】
変形例１２として、変形例１１に記載の光情報再生方法において、前記光学的記録媒体は、参照光と信号光を干渉させて得た干渉縞をホログラムとして記録する記録媒体であることを特徴とする光情報再生方法、または、前記欠陥位置記憶ステップは、前記光検出部が有する欠陥の位置に係る情報を前記光検出部が前記画像信号データを取得する前に学習して記憶することを特徴とする光情報再生方法、または、前記欠陥位置記憶ステップは、前記光検出部が有する欠陥の位置に係る情報を前記光検出部が取得した前記画像信号データに対する誤り訂正の結果に基づいて記憶することを特徴とする光情報再生方法がある。
【０１４９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【０１５０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１５１】
１・・・光情報記録媒体、１０・・・光情報記録再生装置、１１・・・ピックアップ、１２・・・再生用参照光光学系、１３・・・ディスクＣｕｒｅ光学系、１４・・・ディスク回転角度検出用光学系、８１・・・アクセス制御回路、８２・・・光源駆動回路、８３・・・サーボ信号生成回路、８４・・・サーボ制御回路、８５・・・信号処理回路、８６・・・信号生成回路、８７・・・シャッタ制御回路、８８・・・ディスク回転モータ制御回路、８９・・・コントローラ、９０・・・入出力制御回路、９１・・・外部制御装置、１０１・・・欠陥補償制御回路、１０２・・・再生光位置制御量算出回路、１０３・・・欠陥位置記憶回路、１０４・・・再生光位置制御回路、１０５・・・画像欠陥補償回路、３０１・・・光源、３０３・・・シャッタ、３０６・・・信号光、３０７・・・参照光、
３０８・・・ビームエキスパンダ、３０９・・・フェーズ（位相）マスク、３１０・・・リレーレンズ、３１１・・・ＰＢＳプリズム、３１２・・・空間光変調器、３１３・・・リレーレンズ、３１４・・・空間フィルタ、
３１５・・・対物レンズ、３１６・・・偏光方向変換素子、３２０・・・アクチュエータ、３２１・・・レンズ、３２２・・・レンズ、３２３・・・アクチュエータ、３２４・・・ミラー、３２５・・・光検出器、３２６・・・再生光
１２０１・・・画像記憶回路、１２０２・・・スイッチ、１２０３・・・画像合成回路、２１０１・・・誤り位置記憶回路、２１０２・・・欠陥位置検出回路。
【図１】
2015146221.tif 000003
【図２】
2015146221.tif 000004
【図３】
2015146221.tif 000005
【図４Ａ】
2015146221.tif 000006
【図４Ｂ】
2015146221.tif 000007
【図４Ｃ】
2015146221.tif 000008
【図５Ａ】
2015146221.tif 000009
【図５Ｂ】
2015146221.tif 000010
【図６】
2015146221.tif 000011
【図７】
2015146221.tif 000012
【図８】
2015146221.tif 000013
【図９】
2015146221.tif 000014
【図１０】
2015146221.tif 000015
【図１１】
2015146221.tif 000016
【図１２】
2015146221.tif 000017
【図１３】
2015146221.tif 000018
【図１４Ａ】
2015146221.tif 000019
【図１４Ｂ】
2015146221.tif 000020
【図１５Ａ】
2015146221.tif 000021
【図１５Ｂ】
2015146221.tif 000022
【図１６Ａ】
2015146221.tif 000023
【図１６Ｂ】
2015146221.tif 000024
【図１７】
2015146221.tif 000025
【図１８】
2015146221.tif 000026
【図１９】
2015146221.tif 000027
【図２０】
2015146221.tif 000028
【図２１】
2015146221.tif 000029
【図２２】
2015146221.tif 000030
【図２３】
2015146221.tif 000031
【図２４】
2015146221.tif 000032